(57)【要約】【課題】      釣り用ケ−ス本体の取付部が衣服に接触することなく容易に移動出来るウエストベルト付き釣り用ケ−スを提供することである。【解決手段】  ウエストベルト１はベルト体３と接続用リング部材１０で連結されたベルト体４と、ベルト体３の端に接続されたバックル５と、ベルト体４の折り返された重合部αの端に接続されたバックル６と、ベルト体４の長さを調整する長さ調整環７で構成されている。  ベルト体３、４は扁平な紐や合成樹脂繊維の織布からなっている。  バックル５、６が係脱自在に係合されることで釣人Ａの正面で止着されてウエストベルト１が釣人Ａの腰に装着され、ベルト体４の折り返しの重合部αは、バックル５、６を身体の正面にして装着したときにそれぞれ体側を挟んで身体の一側の前側と後ろ側に位置する。【選択図】        図３
2004215660.tif 000002
【特許請求の範囲】
【請求項１】
ウエストベルト付き釣り用ケ−スにおいて、ウエストベルトを折り返して少なくとも身体の前側から体側を通って後ろ側に亘る位置に前記ウエストベルトの重合部を形成し、該重合部の外側のベルト部に長手方向に移動自在に釣り用ケ−スを保持したことを特徴とするウエストベルト付き釣り用ケ−ス。
【請求項２】
ウエストベルトの重合部は、ウエストベルトをバックルで折り返し、長さ調整環でウエストベルトに取り付けて形成したことを特徴とする請求項１記載のウエストベルト付き釣り用ケ−ス。
【請求項３】
ウエストベルト付き釣り用ケ−スにおいて、ウエストベルトを折り返してウエストベルトの長手方向の中間位置をＰとし、ウエストベルトの端部とＰの中間位置をＱとしたときに、前記ウエストベルトの長手方向に沿って少なくとも前記ウエストベルトの一端からＱを通ってＰ側に亘るウエストベルトの重合部を形成し、該重合部の外側のベルト部に長手方向に移動自在に釣り用ケ−スを保持したことを特徴とするウエストベルト付き釣り用ケ−ス。
【請求項４】
ウエストベルトの重合部は、ウエストベルトをバックルで折り返し、長さ調整環でウエストベルトに取り付けて形成したことを特徴とする請求項３記載のウエストベルト付き釣り用ケ−ス。
【発明の詳細な説明】
【技術分野】
【０００１】
本発明は、ウエストベルト付き釣り用ケ−スの改良に関する。
【背景技術】
【０００２】
従来から釣りにはウエストベルト付き釣り用ケースが用いられ、特許文献１には、開閉可能な容体の背部に、一部をスナップ等により接合、分離可能としたバンド通しを取付けた釣用小物入れが示され、特許文献２には、身体に装着されるウエストベルトにベルト保持部で釣具収納ボックスを保持させたまま、その釣具収納ボックスを開いて釣具を取り出したり釣具を収納したりすることのできる釣具収納ボックスの携行具が示されている。
【０００３】
従来釣りで釣用小物入れや釣具収納ボックスが使用される時は、ズボンのベルトや衣服の上にウエストベルトが取り付けられてズボンのベルトやウエストベルトに特許文献１の釣用小物入れが取り付けられたり、特許文献２のように身体に装着されるウエストベルトにベルト保持部で釣具収納ボックスを保持させていた。
釣り場で身体に装着した釣用小物入れや釣具収納ボックスから物を取り出す時には、釣用小物入れや釣具収納ボックスを身体の前側に装着して使用し、それ以外の時は釣りの邪魔にならないように、釣用小物入れや釣具収納ボックスを身体の側部より後ろ側に装着していることが好ましい。
【０００４】
しかし、このように釣用小物入れや釣具収納ボックスを身体の前側に装着したり、後ろ側に装着したりするには、特許文献１の釣用小物入れではズボンのベルトに取り付けられているためズボンのベルト通しに釣用小物入れのバンド通しがぶつかって移動出来なかった。
また、特許文献１の釣用小物入れを衣服の上にウエストベルトが取り付けられてこのウエストベルトに釣用小物入れを取り付けている時や特許文献２の身体に装着されるベルトにベルト保持部で釣具収納ボックスを保持させた時には、ウエストベルトごと回して衣服の上を移動させることは摩擦抵抗が大きく困難であり、ベルトをそのままに衣服の上を釣用小物入れや釣具収納ボックスを移動する場合でも衣服と、釣用小物入れに取り付けられたバンド通し（取付部）や釣具収納ボックスのベルト保持部が摩擦して移動し難い欠点がありベルトを外して移動させていた。
【特許文献１】実開昭６３−１２２０８１号公報
【特許文献２】特開平１１−７５６５１号公報
【発明の開示】
【発明が解決しようとする課題】
【０００５】
解決しようとする課題は、釣用小物入れや釣具収納ボックスを身体の前側に装着したり、身体の後ろ側に装着したりするには、特許文献１の釣用小物入れではズボンのベルトに取り付けられた時にはズボンのバンド通しに釣用小物入れのバンド通しがぶつかって移動出来なかった。
また、特許文献１の釣用小物入れを衣服の上にウエストベルトが取り付けられてこのウエストベルトに釣用小物入れが取り付けられている時や特許文献２の身体に装着されるベルトにベルト保持部で釣具収納ボックスを保持させた時には、ベルトごと回して衣服の上を移動することは摩擦抵抗が大きく困難であり、ベルトをそのままに衣服の上を釣用小物入れや釣具収納ボックスを移動する場合でも衣服と、釣用小物入れに取り付けられたバンド通しや釣具収納ボックスのベルト保持部が摩擦して移動し難い欠点があることである。
【０００６】
本発明の目的は前記欠点に鑑み、釣り用ケ−ス本体の取付部が衣服に強く接触することなく容易にウエストベルトに沿って移動出来るウエストベルト付き釣り用ケ−スを提供することである。
【課題を解決するための手段】
【０００７】
上記課題を解決するために、
請求項１に係わる本発明は、ウエストベルト付き釣り用ケ−スにおいて、ウエストベルトを折り返して少なくとも身体の前側から体側を通って後ろ側に亘る位置に前記ウエストベルトの重合部を形成し、該重合部の外側のベルト部に長手方向に移動自在に釣り用ケ−スを保持したことを要旨とするものである。
請求項２に係わる本発明は、ウエストベルトの重合部は、ウエストベルトをバックルで折り返し、長さ調整環でウエストベルトに取り付けて形成したことを要旨とするものである。
請求項３に係わる本発明は、ウエストベルト付き釣り用ケ−スにおいて、ウエストベルトを折り返してウエストベルトの長手方向の中間位置をＰとし、ウエストベルトの端部とＰの中間位置をＱとしたときに、前記ウエストベルトの長手方向に沿って少なくとも前記ウエストベルトの一端からＱを通ってＰ側に亘るウエストベルトの重合部を形成し、該重合部の外側のベルト部に長手方向に移動自在に釣り用ケ−スを保持したことを要旨とするものである。
請求項４に係わる本発明は、ウエストベルトの重合部は、ウエストベルトをバックルで折り返し、長さ調整環でウエストベルトに取り付けて形成したことを要旨とするものである。
【発明の効果】
【０００８】
ウエストベルトで釣人の腰に装着された釣り用ケ−ス本体を身体の前側と後ろ側に容易に移動することができ、釣り用ケ−ス本体の中から物を取り出す時には前側に移動し、釣竿の操作を行う時は、後ろ側に移動することで釣りの操作の邪魔にならない。
【発明を実施するための最良の形態】
【０００９】
本発明においては、ベルト体４の折り返しによる重合部αは、ウエストベルト１の長手方向に沿って設けられ、釣り用ケ−ス本体２の取付部１３は重合部αの外側ベルト部４ａに沿って移動可能に係合されている。
したがって、重合部αは、ウエストベルト１の外側に沿って設けられた釣り用ケ−ス本体２の取付部を移動自在に保持する。
【００１０】
本発明により、ウエストベルト１が釣人の腰に装着される時、長さが両端のバックル（係合部材、係止部材）５、６、８と長さ調整環７で調整されて取り付けられ、重合部αはウエストベルト１のバックル６、８からウエストベルト１の長手方向の中程（身体に取り付けたときは身体の前側から体側を通って後ろ側）に亘って設けられるので、釣り用ケ−ス本体２を身体の前側から後ろ側に移動することが出来る。
釣り用ケ−ス本体２の取付部１３は重合部αの外側ベルト部４ａに取り付けられているためウエストベルト１の裏面（内側）と衣服に挟まれて強く接触しないから、釣り用ケ−ス本体２を容易に移動することができ、釣り用ケ−ス本体２の中から物を取り出す時には身体の前側に移動し、釣竿の操作を行う時は、後ろ側に移動することで釣りの操作の邪魔にならず、また、身体の後ろ側から前側へ移動することもできる。
【００１１】
ウエストベルトの重合部は、内側と外側にベルトを向かい合わせ状に並設して配置した部分で、これをウエストベルトを折り返すことによって形成する。
ベルトの重合部は、内側と外側のベルトが重なるように接して設けられていても、間隔を開けて設けられていてもよいが、ウエストベルト１を身体に取り付けて張った状態において外側のベルトによじれ又は弛みが生じない程度に内側のベルトに近設するのが好ましい。
釣り用ケ−ス本体２の移動する身体の前側と後ろ側は、ウエストベルト１を釣人に止着した時の身体の腹側と背中側であり、およそ釣人が腕を下ろした時の腕の位置（体側）の前側と後側の領域がこれに該当する。
【００１２】
したがって釣人が身体の前側で釣り用ケ−ス２から物の出し入れが無理なくできるような位置と、釣りをしている時に釣り用ケ−ス２が肘等に当たるなど腕の動きの邪魔になることのない位置であって、身体の真正面と真後ろに限定されない。
また、ウエストベルト１のバックル５、６、８を身体の正面（真正面）で止めると（釣人に取り付けた模式図の図３参照）、ウエストベルト１の長手方向中間位置Ｐが背面（真後ろ）となり、さらにこの正面（バックル５、６の位置）と背面（ウエストベルト１の長手方向中間位置Ｐ）の中間Ｑが体側に該当する位置となる。  したがって前記正面と背面の中間の体側より前方が身体の前側で、体側より後方が身体の後ろ側に該当する位置となる。
【実施例１】
【００１３】
以下、図示の実施例によって本発明を説明すると、図１から図３は第１実施例で、図１の（ａ）はウエストベルト付き釣り用ケ−スの展開斜視図で（ｂ）は（ａ）図の左側（バックル６側）の拡大斜視図で（ｃ）は（ａ）図の右側（バックル５側）の拡大斜視図、図２はウエストベルトと要部を断面にした釣り用ケ−スの側面図、図３は釣人とウエストベルト付き釣り用ケ−スの平面説明図で、身体に取り付けた時の模式図である。
【００１４】
ウエストベルト付き釣り用ケ−スはウエストベルト１に上方に開口を有する釣り用ケ−ス本体２を長手方向に移動自在に取り付けて構成されている。
ウエストベルト１はベルト体３と接続用リング部材１０で連結されたベルト体４と、ベルト体３の端に接続されたバックル（係止部材）５と、ベルト体４の重合部αの端のベルト体４の折り返し部４ｃに取り付けられたバックル（係合部材）６と、ベルト体４の長さを調整する長さ調整環（保持部材）７で構成され、ウエストベルトの長さを少なくとも７０ｃｍから１００ｃｍ程度の長さに調節できるようになっている。
【００１５】
ベルト体３、４は皮革や扁平な紐や合成樹脂繊維の織布や帯等からなっている。
バックル５、６が係脱自在に係合されることで釣人Ａの正面で止着されてウエストベルト１が釣人Ａの腰に装着される。
【００１６】
ベルト体４の折り返しの重合部αは、ベルト体４がバックル６を介して折り返され、折り返されたベルト体４の端部側が折り返し前のベルト体４に重ねて添設されて形成され、折り返されたベルト体４の端部側が折り返し前のベルト体４で保持される。
そして、重合部αはベルト体３、４がバックル５、６を身体の正面にして装着したときにそれぞれ体側（ウエストベルト１の長手方向中間位置Ｐとウエストベルト１の端部の中間Ｑ）を挟んで身体の一側の前側と後ろ側に位置する。
【００１７】
このウエストベルト１の長手方向の中間位置をＰとし、この長手方向の中間位置をＰとウエストベルト１の端部６ａ、５ａとの中間位置をＱ（Ｑ１、Ｑ２）とすると身体に装着したときにＱ（Ｑ１、Ｑ２）が体側位置となる。
したがって、この実施例に置いてベルトの重合部αは、端部６ａ側（バックル６側）に設けられ、端部６ａ側（バックル６側）からＱ１を通って中間位置Ｐ近傍に達するように設けられている。
【００１８】
ベルト体３は一端３ａが接続用リング部材１０に挿通されて固定され、他端３ｂはバックル５の透孔に挿通されて固定されている。
ベルト体４はバックル６のベルト挿通孔に挿通されて後ほぼ二つ折りに折り返されて折り返し部４ｃを形成し、折り返されたベルト体４の端部側は折り返し前のベルト体４の内側に重合し、外側ベルト部４ａと内側ベルト部４ｂで重合部αが形成されると共に、折り返されたベルト体４の端部側の内側ベルト部４ｂは長さ調整環７に折り返し前のベルト体４の外側ベルト部４ａと二枚重ねで挿通され、重合部αの外側ベルト部４ａの延長部は接続用リング部材１０に挿通されて固定されている。
折り返された重合部αの内側ベルト部４ｂは上記長さ調整環７でベルト体４の任意位置で保持される。
【００１９】
長さ調整環７はベルト体４に沿って移動可能になっており、バックル６に近づけると折り返し部の長さが短くなってウエストベルト１の長さが短くなり、バックル６から遠ざけて位置させると折り返し部の長さが長くなってウエストベルト１の長さが長くなる。
また、折り返されたベルト体４を長さ調整環７に挿通した後に突出した垂らし部分を多くするとウエストベルト１の長さが短くなり、垂らし部分を少なくするとウエストベルト１の長さが長くなる。
【００２０】
このように、ベルト体４を折り返して重合部αを形成することで重合部が簡単な構成で形成でき、折り返したベルト体４を長さ調整環７に挿通することで容易に保持できる。
この場合、重合部αが端部６ａ側（バックル６側）からＱ１を通って中間位置Ｐ近傍に達するようにするため、ベルト体４に沿って長さ調整環７の移動を阻害しないように形成する必要がある。
【００２１】
バックル６のベルト挿通孔は透孔の中に可動する支柱が挿入されて外側ベルト部４ａから内側ベルト部４ｂにかけて一体に形成したベルト体４の折り返し部４ｃが支柱を回り込んで引っ張り方向に力が掛かった時抜け難く形成されている。
【００２２】
釣り用ケ−ス本体２は上方に開口を有し、重合部αの外側ベルト部４ａに取り付けられている。
その開口には蓋体１１が係合チャック１２で開閉自在に閉じられている。
釣り用ケ−ス本体２の材料は、防水性を有していることが好ましい。
釣り用ケ−ス本体２の背面（重合部αの外側ベルト４ａ側）には図２のように取付部１３が固定されている。
取付部１３は柔軟性を有する布製のベルトで、上下から折り返されて重合部αの外側ベルト４ａを跨いで重ねられ、重ねられた面はベルベット式ファスナ−やホック等で固定されている。
【００２３】
したがって取付部１３は輪になっており、輪の中に重合部αの外側ベルト４ａが挿通されて取り付けられているので、釣り用ケ−ス本体２は重合部αの外側ベルト４ａの長手方向に移動自在に保持（遊嵌）されている。
取付部１３の内側に滑りがよい表面が平らな硬質の合成樹脂板を貼着したり、取付部１３を合成樹脂板で形成したりして釣り用ケ−ス本体２の移動時の摩擦抵抗を低減してもよい。
【００２４】
釣り用ケ−ス本体２の側部の前方側にはそれぞれ上下に端部を止着した上下方向の取っ手１４が取り付けられて、この取っ手１４を握持して釣り用ケ−ス本体２を移動させる。
取っ手１４は釣り用ケ−ス本体２の上記以外の位置に設けてもよく、布製のほか合成樹脂製や木製でもよい。
【００２５】
ウエストベルト１が釣人の腰に装着される時、ベルト体４の長さがバックル６と長さ調整環７で調整されて取り付けられ、ベルト体４の扁平のリング状の重合部αは正面のバックル６の近傍から背面のベルト１の長手方向の中程に亘って設けられるので、釣り用ケ−ス本体２を前側から体側を通って後ろ側に釣人の身体回わりに回して移動することが出来る。
【００２６】
前記のようにウエストベルト付き釣り用ケ−スが構成されると、釣り用ケ−ス本体２の取付部１３はベルト体４の重合部αの外側ベルト４ａに取り付けられ、内側ベルト部４ｂが外側ベルト部４ａの内側に沿って設けられているため、釣り用ケ−ス本体２の取付部１３と衣服の間に内側ベルト部４ｂが介在するため、釣り用ケ−ス本体２の取付部１３は衣服には接触していないから、釣り用ケ−ス本体２を容易に移動することができ、釣り用ケ−ス本体２の中から物を取り出す時には取っ手１４を引いて釣り用ケ−ス本体２を前側に移動して行い、釣竿操作（キャスティングやリ−ルの巻き取り）を行う時は、釣り用ケ−ス本体２を押して後ろ側に移動することで釣りの操作の邪魔にならない。
【００２７】
また、釣り用ケ−ス本体２の取付部１３は内側ベルト部４ｂと接触することがあるが、内側ベルト部４ｂは身体に取り付けた時に身体に沿って衣服を押圧しながら張った状態となるため取付部１３が衣服に接触した場合より引っ掛かりがなくなる。
さらに、身体に取り付けたときベルト重合部αの可撓性または柔軟性で内側ベルト部４ｂの外側面に沿って外側ベルト部４ａの内側面が当接するように形成すると、釣り用ケ−ス本体２の取付部１３が内側ベルト部４ｂと外側ベルト部４ａの間を取付部１４が狭持されながら案内されて移動するため釣り用ケ−ス本体２のがたつき又は垂れ下がりが防止されて保持され、移動もスムースに行える。
【００２８】
ウエストベルトの長さが調整可能な場合、ウエストベルトが一般に良く使用される長さである７０ｃｍから１００ｃｍのいずれかの長さにおいてベルトの重合部αがウエストベルト１の一端部側から体側位置（Ｑ（Ｑ１、Ｑ２））の位置を通り後ろ側（ウエストベルト１の長手方向の中間位置Ｐ側）に亘るように形成されているものであればよい。
【００２９】
尚、第１実施例のウエストベルト付き釣り用ケ−スを用いて、重合部αの前側端部の位置と後ろ側端部の位置を変えて釣り用ケ−ス本体２を移動させて、身体の前側に移動させたときの釣り用ケ−スの物の取り出し具合と、身体の後ろ側に移動させた時の釣り操作具合（キャスティングとリ−ルの巻き取りで釣り用ケ−ス本体２が邪魔にならないか）について調べた。
調査は、大きさ、縦７ｃｍ、横１６ｃｍ、高さ１６ｃｍで、取付具をウエストベルト側の面の横幅の中間位置に設けた上方に開口を有する釣り用ケ−ス本体を使用し、バックル５、６は身体の正面（真正面）で止めて、ウエストベルト１の長手方向中間位置Ｐを背面（真後ろ）とし、さらに、この正面と背面の中間位置Ｑ（Ｑ１、Ｑ２）を体側に該当する位置として釣り人１０人が評価した。
この場合、釣り用ケ−ス本体２の取付部１３が折り返し重合部αの前側端部と後ろ側端部に移動した状態で評価している。
【００３０】
その結果、身体の前側に移動させたときの釣り用ケ−スの物の取り出し具合について良好とした人は、折り返し重合部αの前側端部の位置を体側（Ｑ１の位置）から前側３ｃｍの場合０人、５ｃｍで０人、８ｃｍで６人（良好との回答が得られ、かつ過半数を上回った）、１０ｃｍで１０人（全員から良好の回答が得られた）、１５ｃｍで１０人、２５ｃｍの身体正面で１０人であった。
一方、身体の後ろ側に移動させたときの釣り用ケ−スに対する釣り操作の具合について良好とした人は、折り返し重合部αの後ろ側端部の位置を体側から後ろ側３ｃｍの場合０人、５ｃｍで７人（良好との回答が得られ、かつ過半数を上回った）、８ｃｍで１０人（全員から良好の回答が得られた）、１０ｃｍで１０人、１５ｃｍで１０人、２５ｃｍの身体背面（真後ろ）で１０人であった。
ただし、例えば体側（Ｑ１の位置）から前側３ｃｍ、体側から後ろ側３ｃｍの僅かな移動でも体側（Ｑ１の位置）を挟んで前後に釣り用ケ−ス本体２が移動できると少なくとも物の取り出し、釣り操作のしやすさは従来より向上しているとの回答は１０人全員から得られた。
【００３１】
したがって、折り返し重合部αの前側端部の位置は、体側（Ｑ１の位置）から前側８ｃｍ以上（好ましくは１０ｃｍ以上）とし、身体正面位置まで設けてもよく、折り返し重合部αの後ろ側端部の位置は、体側（Ｑ１の位置）から後ろ側５ｃｍ以上（好ましくは８ｃｍ以上）とし、身体背面近傍位置まで設けてもよい。
さらに、このことから折り返し重合部αは、バックル５の正面近傍からウエストベルト１の長手方向中間位置Ｐの背面（真後ろ）を通って、バックル５の反対側のバックル６側の正面近傍まで延長して設けても良い。
【００３２】
さらに、この実施例では、ベルト体４はバックル６のベルト挿通孔に挿通されて後、内側に折り返されてベルト体４の端部側は折り返し前のベルト体４の内側に重合したが、ベルト体４はバックル６で外側に折り返してベルト体４の外側に重合してもよい。
【実施例２】
【００３３】
図４、図５は第２実施例で、図４の（ａ）はウエストベルト付き釣り用ケ−スの展開斜視図で（ｂ）は（ａ）図の左側（バックル８側）の拡大斜視図で（ｃ）は（ａ）図の右側（バックル５側）の拡大斜視図、図５は釣人とウエストベルト付き釣り用ケ−スの平面説明図で、身体に取り付けた時の模式図である。
【００３４】
第２実施例では、ウエストベルト１のベルト体４はバックル８のベルト挿通孔に挿通されて後ほぼ二つ折りに折り返されて重合部αが形成されると共に、バックル８とは反対側の重合部αは長さ調整環７に二枚重ねで挿通されて内側ベルト部４ｂはベルト体４に保持され、重合部αの外側ベルト部４ａの延長部は接続用リング部材１０に挿通されて固定されている。
バックル８のベルト挿通孔の中には第１実施例のバックル６の支柱はない。
他の構成は前記第１実施例と略同一である。
【００３５】
前記説明では、ウエストベルト１のベルト体３とベルト体４は接続用リング部材１０で連結されたが、接続用リング部材１０を省略してベルト体３とベルト体４を一本のベルト体で構成してもよい。
なお、釣り用ケース本体２が身体の左側になるように取り付けたウエストベルト付き釣り用ケースの釣り用ケース本体２を、これとは上下逆さに外側ベルト部４ａに取り付け直して、さらに身体に対しウエストベルトの左右付け直しをするだけで、釣り用ケース本体２が身体の右側になるように付け替えする事が出来る。
【産業上の利用可能性】
【００３６】
本発明は、ウエストベルト付き釣り用ケースとして釣り全般に使用することができる。
【図面の簡単な説明】
【００３７】
【図１】第１実施例で、（ａ）はウエストベルト付き釣り用ケ−スの展開斜視図で（ｂ）は（ａ）図の左側（バックル６側）の拡大斜視図で（ｃ）は（ａ）図の右側（バックル５側）の拡大斜視図である。
【図２】同ウエストベルトと要部を断面にした釣り用ケ−スの側面図である。
【図３】同釣人とウエストベルト付き釣り用ケ−スの平面説明図で、身体に取り付けた時の模式図である。
【図４】第２実施例で、（ａ）はウエストベルト付き釣り用ケ−スの展開斜視図で（ｂ）は（ａ）図の左側（バックル８側）の拡大斜視図で（ｃ）は（ａ）図の右側（バックル５側）の拡大斜視図である。
【図５】同釣人とウエストベルト付き釣り用ケ−スの平面説明図で、身体に取り付けた時の模式図である。
【符号の説明】
【００３８】
１  ウエストベルト
２  釣り用ケ−ス本体
４ａ  外側ベルト部
５、６、８  バックル
７  長さ調整環
α  重合部
【図１】
2004215660.tif 000003
【図２】
2004215660.tif 000004
【図３】
2004215660.tif 000005
【図４】
2004215660.tif 000006
【図５】
2004215660.tif 000007